(57)【要約】【課題】検査予約作業の負担の軽減及び検査間隔の長さに起因する患者への負担の軽減を図る。【解決手段】検査予約システム１は、記憶部２、制御部３及びユーザインターフェイス５を含んで構成される。ユーザインターフェイス５は、検査種別や予約日時を含む検査予約情報を入力するために用いられる。記憶部２には、この検査予約情報に基づく各検査種別毎の予約状況情報２１が記憶される。制御部３は、患者に対する第１の検査について入力された検査予約情報と予約状況情報２１とに基づいて、この患者に対する第２の検査の予約日時を決定する。第２の検査の予約日時は、未だ予約日時が入力されていない予約空き日時から、この患者に対する第１の検査との時間間隔が最も短くなるように決定される。【選択図】図１
2008269124.tif 000002
【特許請求の範囲】
【請求項１】
医療分野における検査の予約を行うための検査予約システムであって、
検査種別及び予約日時を含む検査予約情報を入力するためのユーザインターフェイスと、
前記入力された検査予約情報に基づく各検査種別毎の予約状況情報を記憶する記憶手段と、
患者に対する第１の検査の検査予約情報が入力された後に、前記第１の検査の検査予約情報と前記予約状況情報とに基づいて、前記患者に対する第２の検査の検査種別について、未だ予約日時が入力されていない予約空き日時から、前記患者に対する前記第１の検査との時間間隔が最も短くなるように、前記患者に対する前記第２の検査の予約日時を決定する制御手段と、
を備えることを特徴とする検査予約システム。
【請求項２】
前記制御手段は、前記第２の検査の予約日時として、前記第２の検査の開始日時と前記第１の検査の終了日時との間隔、及び、前記第２の検査の終了日時と前記第１の検査の開始日時との間隔のいずれか一方が最も短くなるような予約日時を決定する、
ことを特徴とする請求項１に記載の検査予約システム。
【請求項３】
前記制御手段は、
前記予約状況情報に基づいて、前記第２の検査の検査種別について未だ予約日時が入力されていない予約空き日時を特定し、
前記第１の検査の検査予約情報と前記予約状況情報とに基づいて、前記特定された予約空き日時のうちから前記第２の検査と前記第１の検査との時間間隔が最も短い日時を選択して前記第２の検査の予約日時とする、
ことを特徴とする請求項１に記載の検査予約システム。
【請求項４】
前記記憶手段は、予め設定された検査の禁忌な組合せを表す禁忌情報を更に記憶し、
前記制御手段は、前記第１の検査の検査予約情報、前記予約状況情報及び前記禁忌情報に基づいて、前記第２の検査の予約日時を決定する、
ことを特徴とする請求項１に記載の検査予約システム。
【請求項５】
前記記憶手段は、予め設定された検査の禁忌な組合せを表す禁忌情報を更に記憶し、
前記制御手段は、
前記第１の検査の検査予約情報及び前記禁忌情報に基づいて、前記第２の検査として予約日時を決定可能な検査種別を特定し、
前記特定された検査種別、前記第１の検査予約情報及び前記予約状況情報に基づいて、前記第２の検査の予約日時を決定する、
ことを特徴とする請求項１に記載の検査予約システム。
【請求項６】
報知情報を出力する報知手段を更に備え、
前記記憶手段は、予め設定された検査の禁忌な組合せを表す禁忌情報を更に記憶し、
前記制御手段は、前記第１の検査の検査予約情報、前記第２の検査の検査種別及び前記禁忌情報に基づいて、前記第１の検査と前記第２の検査との組合せが禁忌であるか判断し、禁忌であると判断されたときに前記報知手段に報知情報を出力させる、
ことを特徴とする請求項１に記載の検査予約システム。
【請求項７】
報知情報を出力する報知手段を更に備え、
前記記憶手段は、予め設定された検査の禁忌な組合せを表す禁忌情報と、各患者の検査履歴を表す検査履歴情報とを更に記憶し、
前記制御手段は、前記入力された検査の検査予約情報、前記禁忌情報及び前記検査履歴情報に基づいて、当該検査と前記検査履歴情報の内容との組合せが禁忌であるか判断し、禁忌であると判断されたときに前記報知手段に報知情報を出力させる、
ことを特徴とする請求項１に記載の検査予約システム。
【請求項８】
前記ユーザインターフェイスは表示手段を含み、
前記制御手段は、前記決定された第２の検査の予約日時を前記表示手段に表示させる、
ことを特徴とする請求項１に記載の検査予約システム。
【請求項９】
前記表示手段は、前記予約状況情報に基づく各検査種別毎の予約台帳画面を表示し、
前記制御手段は、第１の検査種別の予約台帳画面に第１の検査の予約日時が入力され、更に第２の検査の検査種別が入力されたときに、該入力された予約日時に基づく該第２の検査の予約日時を決定し、該決定された予約日時を第２の検査種別の予約台帳画面に呈示させる、
ことを特徴とする請求項８に記載の検査予約システム。
【請求項１０】
前記制御手段は、前記決定された前記第２の検査の予約日時と前記第１の検査の予約日時とを前記表示手段にリスト表示させる、
ことを特徴とする請求項８に記載の検査予約システム。
【請求項１１】
コンピュータに、
医療分野における検査の検査種別及び予約日時を含む検査予約情報を受け付けさせ、
前記検査予約情報に基づく各検査種別毎の予約状況情報を記憶させ、
患者に対する第１の検査の検査予約情報が入力された後に、該入力された前記第１の検査の検査予約情報と前記予約状況情報とに基づいて、前記患者に対する第２の検査の検査種別について、未だ予約日時が入力されていない予約空き日時から、前記患者に対する前記第１の検査との時間間隔が最も短くなるように、前記患者に対する前記第２の検査の予約日時を決定させる、
ことを特徴とするプログラム。
【発明の詳細な説明】
【技術分野】
【０００１】
この発明は、医療分野における検査の予約を行うための予約管理システム及びプログラムに関する。
【背景技術】
【０００２】
近年の情報技術の発展に伴い、医療分野においてもデータ管理のデジタル化が進行している。たとえば医用画像分野においては、ＤＩＣＯＭ（Ｄｉｇｉｔａｌ  Ｉｍａｇｉｎｇ  ａｎｄ  Ｃｏｍｍｕｎｉｃａｔｉｏｎｓ  ｉｎ  Ｍｅｄｉｃｉｎｅ）と呼ばれる規格に基づいて医用画像の画像データやその付帯情報を取り扱うように技術の標準化が進んでいる。
【０００３】
医療機関では、様々な検査が実施される。検査の代表的な例としては、Ｘ線診断装置、Ｘ線ＣＴ装置、ＭＲＩ装置等の医用画像診断装置による検査や、血液検査や、生体検査などがある。このような検査を実施する際には、各患者ついて事前に検査の予約（オーダ）を行うようになっている。
【０００４】
検査予約は、一般に、次のような手順で実行される：（１）最初に実施する検査の枠を予約台帳にて取得する；（２）取得された検査枠に基づいてオーダを作成し、オーダ登録画面により登録する；（３）当該患者に実施する検査の数だけ上記２つの作業を繰り返し行う。
【０００５】
また、複数の医用画像を撮影する場合には、各モダリティ（医用画像診断装置）毎に予約台帳が作成されていることから、一つのモダリティの予約が終了してから他のモダリティの予約を行うようになっていた。
【０００６】
特許文献１には、検査予約を行うための技術の例が開示されている。この文献に記載のシステムは、検査予約の重複チェック機能や近傍チェック機能を有している。重複チェック機能とは、同一のモダリティに対して同一の日時に検査予約がなされていないかをチェックする機能である。また、近傍チェック機能とは、同一の患者に対して近い時間帯に検査予約がなされていないかをチェックする機能である。
【０００７】
【特許文献１】特開平７−４９９０８号公報
【発明の開示】
【発明が解決しようとする課題】
【０００８】
従来の検査予約システムでは、一人の患者に対して複数の検査を実施する場合に、一つひとつの検査について予約状況等を確認して予約を設定する必要があった。そのため、予約作業が煩雑になり、その作業時間も長くなることから、予約を行う医師等（検査予約者）への負担が大きかった。
【０００９】
特に、健康診断や人間ドック等のように、一人の患者に対して多くの検査を実施する場合、検査予約者への負担は非常に大きなものとなる。
【００１０】
特許文献１に記載のシステムにおいても、一つの検査の予約内容について重複チェックや近傍チェックを実施し、これらチェックの終了後に他の検査の予約作業に移るようになっているので、事情は同じである。
【００１１】
また、従来の検査予約システムでは、一人の患者に対して複数の検査を実施する場合に、次の検査までの待ち時間が長くなって患者への負担が大きくなるという問題もあった。特許文献１に記載のシステムによれば、次の検査に間に合わないような近い時間帯に検査予約がなされる事態は回避できるが、次の検査までの間隔が大きく設定されて患者への負担が大きくなるおそれはある。
【００１２】
この発明は、以上のような問題を解決するためになされたもので、検査予約作業の負担軽減を図ることが可能な検査予約システム及びプログラムを提供することを目的とする。
【００１３】
また、この発明は、検査間隔が長くなることに起因する患者への負担の軽減を図ることが可能な検査予約システム及びプログラムを提供することを目的とする。
【課題を解決するための手段】
【００１４】
上記目的を達成するために、請求項１に記載の発明は、医療分野における検査の予約を行うための検査予約システムであって、検査種別及び予約日時を含む検査予約情報を入力するためのユーザインターフェイスと、前記入力された検査予約情報に基づく各検査種別毎の予約状況情報を記憶する記憶手段と、患者に対する第１の検査の検査予約情報が入力された後に、前記第１の検査の検査予約情報と前記予約状況情報とに基づいて、前記患者に対する第２の検査の検査種別について、未だ予約日時が入力されていない予約空き日時から、前記患者に対する前記第１の検査との時間間隔が最も短くなるように、前記患者に対する前記第２の検査の予約日時を決定する制御手段と、を備えることを特徴とする。
【００１５】
また、請求項１１に記載の発明は、コンピュータに、医療分野における検査の検査種別及び予約日時を含む検査予約情報を受け付けさせ、前記検査予約情報に基づく各検査種別毎の予約状況情報を記憶させ、患者に対する第１の検査の検査予約情報が入力された後に、該入力された前記第１の検査の検査予約情報と前記予約状況情報とに基づいて、前記患者に対する第２の検査の検査種別について、未だ予約日時が入力されていない予約空き日時から、前記患者に対する前記第１の検査との時間間隔が最も短くなるように、前記患者に対する前記第２の検査の予約日時を決定させる、ことを特徴とするプログラムである。
【発明の効果】
【００１６】
この発明によれば、患者に対する第１の検査について入力された検査予約情報と予約状況情報とに基づいて、この患者に対する第２の検査の予約日時を決定することができる。この第２の検査の予約日時は、この患者に対する第２の検査の検査種別について、未だ予約日時が入力されていない予約空き日時から、この患者に対する第１の検査との時間間隔が最も短くなるように決定される。
【００１７】
それにより、同一日時に予約が重複することなく、更に、第１の検査との時間間隔が最も短くなるように、自動的に第２の検査の予定日時を決定することができる。したがって、一人の患者に対して複数の検査を実施する場合に、従来のように一つひとつの検査について予約状況等を確認しながら予約日時の設定作業を行う必要が無いので、検査の予約を行う医師等への負担を軽減することが可能である。
【００１８】
また、第１の検査との時間間隔が最も短くなるように第２の検査の予約日時を決定するので、検査間隔の長さに起因する患者への負担の軽減を図ることが可能である。
【発明を実施するための最良の形態】
【００１９】
この発明に係る検査予約システム及びプログラムの実施形態の一例について、図面を参照しながら詳細に説明する。以下、検査予約システムの実施形態について説明した後に、この検査予約システムの具体例を説明する。また、プログラムの実施形態については最後に説明する。
【００２０】
この実施形態に係る検査予約システムは、病院等の医療機関に設置され、医療分野の検査を予約するために用いられる。図１は、この検査予約システムの概略構成の一例を表す。また、図２〜図４は、この検査予約システムの使用形態の一例を表す。
［構成］
図１に示す検査予約システム１は、たとえば院内ＬＡＮ（Ｌｏｃａｌ  Ａｒｅａ  Ｎｅｔｗｏｒｋ）等の通信回線により、検査端末９Ａ、９Ｂ、９Ｃに接続されている。各検査端末９Ａ〜９Ｃは、たとえば、検査室に設置されたコンピュータ端末や、医用画像診断装置のコンソールなどにより構成される。なお、検査予約システム１に接続される検査端末の台数は任意（１台以上）である。
【００２１】
〔記憶部〕
検査予約システム１の記憶部２には、予約状況情報２１、禁忌情報２２及び検査履歴情報２３が記憶される。
【００２２】
予約状況情報２１は、検査種別毎の予約状況を表す情報である。検査種別としては、たとえば放射線科においてはＣＴ検査、ＭＲ検査、マーゲン検査、テレビ（ＴＶ）検査などがある。予約状況情報２１は、たとえば、各検査種別に対する予約のスケジュールを記録した情報である。この予約スケジュールは、既に予約が入っている日時と、未だ予約が入っていない日時とを判別可能に記録している。なお、「日時」は、「日」と「時」には限定されず、「年」、「月」、「分」、「秒」のように予約のタイミングを表す任意の時間の単位を含んでいてもよい。
【００２３】
予約状況情報２１は、各検査種別について、それを実施するのに要する時間（検査時間）を記録している。検査時間としては、たとえば、その検査種別の標準的な所要時間が記録される。
【００２４】
なお、たとえばＣＴ装置が２台以上設置されている場合など、同じ検査種別の検査を実施する装置が複数存在する場合には、予約状況情報２１には、各装置毎の予約状況が記録される。このような場合も「検査種別毎」に含まれるものとする。
【００２５】
予約状況情報２１の一例として、検査時間を考慮して各検査の枠（検査枠）を設定し、複数の検査枠を並べたスケジュール表を作成することができる。具体的には、たとえば、一日における検査の開始時刻を９時とし、検査時間を３０分とした場合、一日の第１の検査枠は９時から９時半まで、第２の検査枠は９時半から１０時まで、第３の検査枠は１０時から１０時半まで、・・・・といったスケジュール表を作成することができる。なお、このようなスケジュール表の例については、後で検査予約台帳として詳述する。
【００２６】
禁忌情報２２は、検査の禁忌な組合せを記録した情報である。この禁忌な組合せには、同一検査についての禁忌な組合せや、異なる検査についての禁忌な組合せや、検査以外の要因と検査との禁忌な組合せなどが含まれる。
【００２７】
同一検査についての禁忌な組合せの例としては、Ｘ線撮影を複数回実施する場合に、Ｘ線の累積被曝量が閾値を超えてしまう場合がある。このような禁忌な組合せについては、たとえば、法令やマニュアル等により規定されている閾値を禁忌情報２２として記録することができる。
【００２８】
異なる検査についての禁忌な組合せの例としては、異なる検査で使用する薬剤について、それらの併用が禁忌とされている場合がある。このような禁忌な組合せについては、たとえば、検査種別と使用薬剤とを関連付ける情報と、禁忌な薬剤の組合せの情報を、禁忌情報２２として記録することができる。
【００２９】
また、異なる検査についての禁忌な組合せの例としては、異なる検査において同一の薬剤を使用する場合における薬剤の累積投与量が閾値を超えてしまう場合がある。また、Ｘ線撮影とＣＴ検査のように、双方の検査が放射線を使用する検査であるときに、放射線の累積被曝量が閾値を超えてしまう場合がある。これらの場合、法令等により規定されている閾値を禁忌情報２２として記録することができる。
【００３０】
検査以外の要因と検査との禁忌な組合せとしては、たとえば、検査以外の医療行為と検査との禁忌な組合せや、患者の特徴と検査との禁忌な組合せなどがある。前者の例としては、所定の薬剤が投与された患者に対する実施が禁忌とされている検査がある。この場合、たとえば、禁忌な組合せの薬剤名と検査とを関連付ける情報を禁忌情報２２として記録することができる。
【００３１】
また、後者における患者の特徴としては、たとえば、年齢や性別や病歴や手術歴等の患者情報、血圧値や心拍数等のバイタル情報などがある。後者の例としては、年少の患者や妊娠中の患者に対する放射線検査（Ｘ線撮影、ＣＴ検査等）の禁止、血圧の高い患者に対する所定薬剤の投与禁止などがある。これらの場合、たとえば患者の特徴と検査とを関連付ける情報を禁忌情報として記録することができる。
【００３２】
なお、ここでいう「禁忌」は、その組合せが完全に禁止されている場合だけでなく、その組合せを実施する際に注意を要する場合を含んでいてもよい。
【００３３】
また、禁忌な組合せは、２つの要素の組合せには限定されず、２つ以上の任意個数の要素の組合せであってもよい。
【００３４】
また、禁忌情報２２は、検査等の組合せが禁忌とされる期間を表す情報を記録してもよい。このような期間としては、たとえば薬剤の投与間隔や放射線検査の間隔などがある。
【００３５】
検査履歴情報２３は、患者に対して過去に実施された検査を患者毎に記録した情報である。患者の識別は、患者ＩＤや患者氏名等の患者識別情報によってなされる。検査履歴情報２３は、たとえば、患者識別情報と、検査種別（検査ＩＤ等の検査識別情報）と、検査の実施日時（検査日時）とを関連付けた情報である。また、検査履歴情報２３は、上記の患者の特徴を表す情報（この情報も「検査履歴」に含まれるものとする。）についても患者毎に記録してもよい。検査履歴情報２３は、たとえば電子カルテに記載された情報である。
【００３６】
記憶部２は、ハードディスクドライブ等の記憶装置を含んで構成される。たとえば記憶部２は、上記の情報のデータベースを管理するサーバを含む。記憶部２は、この発明の「記憶手段」の一例として機能する。
【００３７】
〔制御部〕
制御部３は、検査予約システム１の制御や各種の演算処理を実行する。制御部３は、この発明の「制御手段」の一例として機能する。制御部３には、主制御部４と予約処理部６が設けられている。また、制御部３には、上記の記憶部２とともに、ユーザインターフェイス５と通信部７が接続されている。
【００３８】
制御部３は、ＣＰＵ（Ｃｅｎｔｒａｌ  Ｐｒｏｃｅｓｓｉｎｇ  Ｕｎｉｔ）等のマイクロプロセッサ、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ハードディスクドライブ等を含んで構成される。たとえばハードディスクドライブには、あらかじめプログラムが格納されている。このプログラムは、この発明の「プログラム」の一例である。また、記憶部２が院内ネットワーク上のサーバ等である場合、制御部３はＬＡＮカード等の通信機器を具備する。
【００３９】
〔主制御部〕
主制御部４は、検査予約システム１の各部を制御する。たとえば、主制御部４は、記憶部２に記憶された情報を読み出す処理や、記憶部２に情報を格納する処理などを行う。
【００４０】
〔ユーザインターフェイス〕
ユーザインターフェイス（Ｕｓｅｒ  Ｉｎｔｅｒｆａｃｅ）５は、検査予約システム１とそのオペレータとの間のインターフェイスである。特に、ユーザインターフェイス５は、検査の種類を表す検査種別や検査の予約日時など、検査を予約するための情報（検査の内容や予約日時等；検査予約情報）の入力に使用される。ユーザインターフェイス５には、表示部５１と操作部５２が設けられている。
【００４１】
（表示部）
表示部５１は、主制御部４の制御にしたがって情報を表示する。表示部５１は、たとえばＬＣＤ（Ｌｉｑｕｉｄ  Ｃｒｙｓｔａｌ  Ｄｉｓｐｌａｙ）や、ＣＲＴ（Ｃａｔｈｏｄｅ  Ｒａｙ  Ｔｕｂｅ）ディスプレイ等の任意の表示デバイスを含んで構成される。表示部５１は、この発明の「表示手段」の一例として機能する。また、表示部５１は、この発明の「報知手段」の一例として機能する。
【００４２】
（操作部）
操作部５２は、検査予約システム１に対する要求や各種情報を入力するためにオペレータにより操作される。操作部５２は、たとえばキーボード、マウス、ジョイスティック、トラックボール、コントロールパネル等の任意の入力デバイスや操作デバイスを含んで構成される。オペレータによる操作を受けた操作部５２は、その操作内容に応じた信号を主制御部４に送る。主制御部４は、この信号に基づいて、当該操作内容に応じた動作を検査予約システム１に実行させる。
【００４３】
なお、この実施形態では、表示部５１と操作部５２とを個別に設けているが、これらを一体化したユーザインターフェイスを用いることも可能である。そのようなユーザインターフェイスとしては、たとえばタッチパネルＬＣＤやタッチペンなどがある。
【００４４】
〔予約処理部〕
予約処理部６は、検査の予約に関する処理を実行する。予約処理部６には、禁忌判断部６１、予約空き日時特定部６２及び予約日時選択部６３が設けられている。
【００４５】
（禁忌判断部）
禁忌判断部６１は、検査が禁忌であるか否かの判断を行う。この判断は、記憶部２に記憶された情報、特に禁忌情報２２に基づいて実行される。以下、禁忌判断部６１による処理の具体例を説明する。
【００４６】
第１の具体例を説明する。ユーザインターフェイス５を用いて検査予約情報が入力されると、禁忌判断部６１は、その検査予約情報を参照して検査種別を特定する。更に、禁忌判断部６１は、禁忌情報２２や検査履歴情報２３等を参照し、特定された検査種別が禁忌であるか判断する。この処理は、たとえば、検査履歴情報２３から当該患者の特徴（前述）を取得し、この特徴と当該検査種別とが禁忌な組合せであるかを、禁忌情報２２を参照して判断することにより行う。
【００４７】
第２の具体例を説明する。ユーザインターフェイス５を用いて複数の検査予約情報が入力されると、禁忌判断部６１は、第１の具体例と同様にして各検査種別を特定し、更に、これらの検査種別の組合せが、禁忌情報２２に記録された禁忌な組合せに該当するか否かを判断する。この処理は、たとえば、入力された複数の検査種別が、前述した同一検査の禁忌な組合せや異なる検査の禁忌な組合せに該当するか否かを判断することにより行う。
【００４８】
第３の具体例を説明する。ユーザインターフェイス５を用いて複数の検査予約情報が入力されると、禁忌判断部６１は、第１の具体例と同様にして各検査種別を特定し、更に、禁忌情報２２を参照し、その検査種別との組合せが禁忌とされる検査種別を特定する。この処理は、たとえば、入力された検査種別が含まれる禁忌な組合せを禁忌情報２２からに記録された禁忌な組合せと照合することにより行う。この処理により、入力された検査種別との組合せが禁忌でない検査についても特定される。
【００４９】
（予約空き日時特定部）
予約空き日時特定部６２は、或る検査種別について、未だ予約がなされていない日時（予約空き日時）、すなわち新たに予約日時として指定することが可能な日時を特定する。予約空き日時特定部６２は、たとえばユーザインターフェイス５を用いて検査種別が指定されたときに動作する。
【００５０】
前述したように、予約状況情報２１には、各検査種別について、既に予約が入っている日時と、未だ予約が入っていない日時（つまり予約空き日時）とが判別可能に記録されている。予約空き日時特定部６２は、このような予約状況情報２１を参照することにより、当該検査種別についての予約空き日時を特定する。
【００５１】
（予約日時選択部）
予約日時選択部６３は、同一患者について複数の検査を予約するときに動作する。先に予約する検査を第１の検査とし、後に予約する検査を第２の検査とする。なお、予約の順序と検査を行う順序とは無関係である。また、第１の検査の検査予約情報は、既に入力されたものとする。更に、予約空き日時特定部６２は、第２の検査の検査種別の入力を受けて、第２の検査の検査種別についての予約空き日時を特定したものとする。このとき、２つ以上の予約空き日時が特定されることが多い。
【００５２】
予約日時選択部６３は、特定された第２の検査に関する空き日時のうちから、第２の検査と第１の検査との時間間隔が最も短い日時を選択する。この選択された日時は、予約処理部６により、第２の検査の（仮の）予約日時として設定される。
【００５３】
なお、第１の検査を先に実施し第２の検査を後に実施する場合と、第２の検査を先に実施し第１の検査を後に実施する場合とがある。このように検査の順序が設定されている場合、予約日時選択部６３は、その順序において時間間隔が最も短くなるように第２の検査の予定日時を選択する。
【００５４】
一方、検査の順序が設定されていない場合、予約日時選択部６３は、特定された予約空き日時のうちから、第１の検査の予約日時に最も近い日時、すなわち第１の検査の予約日時との時間間隔が最も短い日時を選択する。
【００５５】
ここで、第１の検査より後に第２の検査を実施する場合、予約日時選択部６３は、たとえば、第１の検査の終了日時との間隔が最も短くなる開始日時を有する予約空き日時を選択する。一方、第１の検査より前に第２の検査を実施する場合、予約日時選択部６３は、たとえば、第１の検査の開始日時との間隔が最も短くなる終了日時を有する予約空き日時を選択する。
【００５６】
なお、第１の検査の予約日時との時間間隔が「最も短い」とは、所定の必要な時間を考慮した上で、時間間隔が最も短いことを意味する。所定の必要な時間としては、たとえば、患者が検査室間を移動するのに必要な時間や、特に多数の検査を行う患者のための休養時間や、医師等の休養時間（昼休み等）などがある。
【００５７】
〔通信部〕
通信部７は、検査装置９Ａ、９Ｂ、９Ｃとの間でデータの送受信を行うインターフェイスである。通信部７は、ＬＡＮカード等の通信機器を含んで構成される。
【００５８】
［使用形態］
この実施形態に係る検査予約システム１の使用形態について説明する。図２〜図４に示すフローチャートは、それぞれ、検査予約システム１の使用形態の一例を表している（各々、第１、第２及び第３の使用形態とする）。なお、これらの使用形態は、それぞれ独立に用いることもできるし、２つ以上を組み合わせて使用することもできる。
【００５９】
また、図５〜図１１は、検査の予約を行うための表示画面の一例を表している。なお、これらの表示画面のデータは、たとえば前述のプログラムに含まれている。
【００６０】
〔第１の使用形態〕
図２を参照して第１の使用形態を説明する。この使用形態は、第１の検査の予約後に第２の検査の予約を行うときに、禁忌情報２２等に基づいて第２の検査として実施可能な検査種別を特定し、この特定結果に基づいて第２の検査の予約日時を決定するものである。
【００６１】
なお、第１の検査は、第２の検査よりも先に予約がなされた検査を意味する。第１の検査の個数は１つには限定されず、２つ以上であってもよい。つまり、第２の検査の予約日時を決定するときには、先に予約がなされた１つ以上の検査（第１の検査）の予約日時を参照することができる。
【００６２】
検査対象の患者の患者ＩＤ等の患者情報は、あらかじめ入力されているものとする。オペレータが操作部５２により所定の操作を行うと、主制御部４は、図５に示す予約台帳画面１０００を表示部５１に表示させる（Ｓ１）。
【００６３】
予約台帳画面１０００には、この医療機関で実施する各種の検査の予約台帳が表示される。予約台帳とは、各検査毎の予約の状況（予約スケジュール）を記録したものである。この医療機関には、２台のＣＴ装置、２台のＭＲＩ装置、マーゲン検査用のＸ線診断装置、及び、（Ｘ線）ＴＶ検査用のＸ線診断装置が設置されているものとする。このとき、予約台帳画面１０００には、第１のＣＴ装置（第１のＣＴ検査室）の予約台帳１１００と、第２のＣＴ装置（第２のＣＴ検査室）の予約台帳１２００と、第１のＭＲＩ装置（第１のＭＲ検査室）の予約台帳１３００と、第２のＭＲＩ装置（第２のＭＲ検査室）の予約台帳１４００と、マーゲン検査用のＸ線診断装置（マーゲン検査室）の予約台帳１５００と、ＴＶ検査用のＸ線診断装置（ＴＶ検査室）の予約台帳１６００とが表示される。
【００６４】
各予約台帳１１００〜１６００には、所定の期間（たとえば１週間）における予約状況が記録されている。各予約日時の枠は、９時から１７時半の間において３０分単位で設定されている。既に予約が入っている枠は、塗りつぶされて表示される。
【００６５】
これらの予約台帳１１００〜１６００は、オペレータが操作部５２を操作することにより選択的に表示される。この表示処理について、より具体的に説明する。各予約台帳１１００〜１６００にはタブが設けられている。図５においては、予約台帳１１００〜１６００のタブには、それぞれ、「ＣＴ−１」、「ＣＴ−２」、「ＭＲ−１」、「ＭＲ−２」、「マーゲン」、「ＴＶ」と記載されている。オペレータは、たとえばマウスを操作して所望の予約台帳のタブをクリックすることにより、予約台帳の選択を行う。主制御部４は、クリックされたタブの予約台帳を予約台帳画面１０００上に表示させる。
【００６６】
この使用形態では、第１のＣＴ装置、第１のＭＲＩ装置及びＴＶ検査用のＸ線診断装置のそれぞれによる検査を予約する場合について説明する。
【００６７】
最初に第１のＣＴ装置による検査の予約について説明する。オペレータは、操作部５２を操作して「ＣＴ−１」のタブを指定することにより、予約対象の検査を指定する（Ｓ２）。主制御部４は、第１のＣＴ装置の予約台帳１１００を予約台帳画面１０００上に表示させる（Ｓ３）。
【００６８】
オペレータは、操作部５２を操作して、第１のＣＴ装置の予約日時を指定する（Ｓ４）。この操作は、たとえば、予約台帳１１００中の所望の枠をキーボードやマウスで選択し、選択ボタン１９００をクリックすることにより行う。ここでは、第１のＣＴ装置の予約日時として、１１月１６日（水曜日）の１３時〜１３時３０分の枠（図５中に斜線で示す枠）が指定されたとする。この指定された枠は、第１のＣＴ装置の仮の予約日時となる。
【００６９】
第１のＣＴ装置の仮の予約日時が入力されると、主制御部４は、図６に示す仮予約情報画面２０００を表示部５１に表示させる（Ｓ５）。図６に示す仮予約情報画面２０００の予約情報表示部２１００には、ステップ４で指定された仮の予約日時と、その検査内容とを含む検査予約情報Ｋ１が表示される。ここで、検査内容は、検査種別や装置名等を表す文字列などである（図６では文字列「ＣＴ−１」）。また、予約情報表示部２１００には、検査予約情報Ｋ１を削除するための削除ボタンＤ１が表示される。
【００７０】
禁忌判断部６１は、禁忌情報２２（及び当該患者の検査履歴情報２３）に基づいて、ＣＴ検査との組合せが禁忌な検査種別を特定する（Ｓ６）。ここで、第１のＭＲＩ装置及びＴＶ検査用のＸ線診断装置は、それぞれ禁忌ではないとする。主制御部４は、特定された禁忌な検査種別に対応する予約台帳を選択できないように予約台帳画面１０００を制御する（Ｓ７）。
【００７１】
このとき、主制御部４は、禁忌な検査種別をオペレータが認識できるように予約台帳画面１０００の表示態様を変更する。たとえば、禁忌な検査種別に対応する予約台帳のタブの文字列の表示濃度を薄くする。なお、禁忌な検査種別や禁忌でない検査種別を表す情報（検査種別や装置の名称など）を表示部５１に表示させてもよい。
【００７２】
次に、オペレータは、操作部５２を操作して「ＭＲ−１」のタブを指定する（Ｓ８）。主制御部４は、第１のＣＴ装置の予約台帳１１００に代えて、第１のＭＲＩ装置の予約台帳１３００を表示させる（図７参照）。
【００７３】
予約空き日時特定部６２は、予約台帳１３００を参照し、第１のＭＲＩ装置の予約が入っていない日時（予約空き日時）を特定する（Ｓ９）。それにより、予約台帳１３００において塗りつぶされていない枠が特定される。予約日時選択部６３は、ステップ４で指定された第１のＣＴ装置の予約日時と、ステップ９で特定された予約空き日時とに基づいて、第１のＣＴ装置の予約日時に最も近い予約空き日時を選択する（Ｓ１０）。
【００７４】
ここでは、検査室間の移動などを考慮して、１１月１６日（水曜日）の１４時から１４時３０分の枠（図７において斜線で示した枠）が選択されたものとする。主制御部４は、ステップ１０で選択された枠を識別可能に表示する（Ｓ１１）。選択された枠の表示態様としては、たとえば、この枠にカーソルを配置させたり、この枠を他の枠と異なる表示色や濃淡で表示させたりすることができる。
【００７５】
オペレータは、選択された枠でよければそのまま選択ボタン１９００をクリックする。また、他の枠に変更する場合には、所望の枠を指定して選択ボタン１９００をクリックする。それにより、第１のＭＲＩ装置の仮の予約日時が指定される（Ｓ１２）。主制御部４は、図８に示すように、ステップ１２で指定された仮の予約日時と、その検査内容とを含む検査予約情報Ｋ２とを、仮予約情報画面２０００の予約情報表示部２１００に追加表示させる（Ｓ１３）。この検査予約情報Ｋ２には、それを削除するための削除ボタンＤ２が付帯して表示される。
【００７６】
予約作業を終了するときには、仮予約情報画面２０００の終了ボタン２２００をクリックする。ここでは、予約作業を続けるので、終了ボタン２０００のクリックは行わない（Ｓ１４；Ｎｏ）。
【００７７】
禁忌判断部６１は、ＣＴ検査やＭＲ検査との組合せが禁忌な検査種別を特定する（Ｓ６）。このとき、たとえば、ＣＴ検査及びＭＲ検査の少なくとも一方との組合せが禁忌な検査種別を特定する。主制御部４は、特定された禁忌な検査種別に対応する予約台帳を選択できないように予約台帳画面１０００を制御する（Ｓ７）。
【００７８】
次に、オペレータは、操作部５２を操作して「ＴＶ」のタブを指定する（Ｓ８）。主制御部４は、第１のＣＴ装置の予約台帳１１００に代えて、ＴＶ検査用のＸ線診断装置の予約台帳１６００を表示させる（図９参照）。
【００７９】
予約空き日時特定部６２は、予約台帳１６００を参照し、このＸ線診断装置の予約空き日時を特定する（Ｓ９）。予約日時選択部６３は、たとえば、第１のＣＴ装置の予約日時と、第１のＭＲＩ装置の予約日時と、このＸ線診断装置の予約空き日時とに基づいて、第１のＣＴ装置の予約日時及び第１のＭＲＩ装置の予約日時に最も近い予約空き日時を選択する（Ｓ１０）。
【００８０】
ここでは、検査室間の移動などを考慮して、１１月１６日（水曜日）の１５時から１５時３０分の枠（図９において斜線で示した枠）が選択されたものとする。主制御部４は、選択された枠を識別可能に表示する（Ｓ１１）。
【００８１】
オペレータは、選択された枠でよければそのまま選択ボタン１９００をクリックする。また、他の枠に変更する場合には、所望の枠を指定して選択ボタン１９００をクリックする。それにより、このＸ線診断装置の仮の予約日時が指定される（Ｓ１２）。主制御部４は、図１０に示すように、ステップ１２で指定された仮の予約日時と、その検査内容とを含む検査予約情報Ｋ３とを、仮予約情報画面２０００の予約情報表示部２１００に追加表示させる（Ｓ１３）。この検査予約情報Ｋ３には、それを削除するための削除ボタンＤ３が付帯して表示される。
【００８２】
オペレータは、仮予約情報画面２０００の終了ボタン２２００をクリックして予約作業を終了する（Ｓ１４；Ｙｅｓ）。主制御部４は、検査予約情報Ｋ１、Ｋ２、Ｋ３を含む検査予約情報画面３０００（図１１参照）を表示部５１に表示させる（Ｓ１５）。
【００８３】
検査予約情報画面３０００の患者情報表示部３１００には、患者ＩＤ、氏名、性別、生年月日、年齢、入院／外来の区分など、この患者に関する情報（患者情報）が表示される。患者情報は、前述のように予め入力されたものである。
【００８４】
また、依頼情報表示部３２００には、検査を依頼した診療科（依頼科）、検査を依頼した医師（依頼医師）の氏名、依頼の緊急度合い（緊急区分）、画像の読影に関する区分（読影区分）、患者を紹介した病院（紹介病院）の名前、依頼科からのコメント、検査を行う放射線科からのコメントなど、検査の依頼内容に関する情報が表示される。これらの情報は、事前に入力されたものである。
【００８５】
また、検査予約情報表示部３３００には、以上において入力された検査予約情報Ｋ１、Ｋ２、Ｋ３が表示される。その表示内容としては、予約された各検査の検査種別、検査日、検査開始時刻、撮影場所などがある。
【００８６】
オペレータは、検査予約情報画面３０００に呈示された情報を確認し、操作部５２を操作して登録ボタン３４００をクリックする（Ｓ１６）。予約処理部６は、検査予約情報表示部３３００に表示された内容、つまり検査予約情報Ｋ１、Ｋ２、Ｋ３に基づいて、各検査の検査予約情報（検査日時等）を予約状況情報２１に登録する（Ｓ１７）。なお、検査予約情報画面３０００の表示内容を変更する場合や、新たな検査の予約を追加する場合などには、そのための処理を適宜に行う。また、検査予約情報Ｋ１、Ｋ２、Ｋ３は、通信部７により、対応する検査端末９Ａ、９Ｂ、９Ｃに送信される。以上で、この使用形態に係る処理は終了となる。
【００８７】
〔第２の使用形態〕
図３を参照して第２の使用形態を説明する。この使用形態は、第１の検査の予約後に第２の検査の予約を行うときに、禁忌情報２２等に基づいて第１の検査と第２の検査との組合せが禁忌であるか判断するものである。なお、第１の検査の個数は、１以上の任意の個数である。つまり、上記の判断は、２つ以上の検査の組合せが禁忌であるかを判断するものである。
【００８８】
検査対象の患者の患者ＩＤ等の患者情報は、あらかじめ入力されているものとする。まず、予約台帳画面１０００を表示部５１に表示させる（Ｓ２１）。オペレータは、所望の検査を指定する（Ｓ２２）。主制御部４は、指定された検査の予約台帳を予約台帳画面１０００上に表示させる（Ｓ２３）。オペレータは、この検査の予約日時を指定する（Ｓ２４）。主制御部４は、指定された予約日時を含む仮予約情報画面２０００を表示部５１に表示させる（Ｓ２５）。
【００８９】
オペレータは、予約台帳画面１０００を参照し、他の検査を指定する（Ｓ２６）。禁忌判断部６１は、禁忌情報２２（及び当該患者の検査履歴情報２３）に基づいて、これらの検査の組合せが禁忌であるか判断する（Ｓ２７）。
【００９０】
検査の組合せが禁忌であると判断された場合（Ｓ２７；Ｙｅｓ）、主制御部４は、その旨を表す情報（報知情報）を出力させる（Ｓ２８）。報知の方法としては、たとえば、検査の組合せが禁忌である旨のメッセージを呈示するダイアログを表示部５１に表示させることができる。また、報知情報は、このような視覚的な情報には限定されず、音声メッセージやアラーム音などの聴覚的な情報などを用いることも可能である。オペレータは、報知情報を確認し、必要に応じて他の検査を指定する（Ｓ２６）。以下、ステップ２７において「Ｎｏ」と判断されるまで処理を反復する。
【００９１】
一方、検査の組合せが禁忌でないと判断された場合（Ｓ２７；Ｎｏ）、予約空き日時特定部６２は、ステップ２６で指定された検査の予約台帳を参照して予約空き日時を特定する（Ｓ２９）。予約日時選択部６３は、ステップ２４で指定された予約日時に最も近い予約空き日時を選択する（Ｓ３０）。主制御部４は、選択された予約空き日時の枠を識別可能に表示する（Ｓ３１）。
【００９２】
オペレータは、選択された枠でよければそのまま選択ボタン１９００をクリックする。また、他の枠に変更する場合には、所望の枠を指定して選択ボタン１９００をクリックする。それにより、ステップ２６で指定された検査について、仮の予約日時が指定される（Ｓ３２）。主制御部４は、この仮の予約日時を予約情報画面２０００の予約情報表示部２１００に追加表示させる（Ｓ３３）。
【００９３】
予約作業を終了するときには、仮予約情報画面２０００の終了ボタン２２００をクリックする。予約作業を続ける場合（Ｓ３４；Ｎｏ）、オペレータは、更に他の検査を指定する（Ｓ２６）。
【００９４】
一方、予約作業を終了する場合、オペレータは、仮予約情報画面２０００の終了ボタン２２００をクリックする（Ｓ３４；Ｙｅｓ）。主制御部４は、以上において指定された各検査の検査予約情報を含む検査予約情報画面３０００を表示部５１に表示させる（Ｓ３５）。
【００９５】
オペレータは、検査予約情報画面３０００に呈示された情報を確認し、登録ボタン３４００をクリックする（Ｓ３６）。予約処理部６は、検査予約情報表示部３３００に表示された内容に基づいて、各検査の検査予約情報を予約状況情報２１に登録する（Ｓ３７）。なお、検査予約情報は、通信部７により、対応する検査端末９Ａ、９Ｂ、９Ｃに送信される。以上で、この使用形態に係る処理は終了となる。
【００９６】
〔第３の使用形態〕
図４を参照して第３の使用形態を説明する。この使用形態は、検査の予約を行うときに、禁忌情報２２及び検査履歴情報２３等に基づいて、当該患者に過去に施された検査等の医療行為と当該検査との組合せが禁忌であるか判断するものである。なお、過去の医療行為の個数は１以上の任意の個数とすることができる。
【００９７】
検査対象の患者の患者ＩＤ等の患者情報は、あらかじめ入力されているものとする。まず、予約台帳画面１０００を表示部５１に表示させる（Ｓ４１）。オペレータは、所望の検査を指定する（Ｓ４２）。
【００９８】
禁忌判断部６１は、禁忌情報２２及び検査履歴情報２３に基づいて、当該患者に対する過去の検査等の医療行為と、ステップ４２で指定された検査との組合せが禁忌であるか判断する（Ｓ４３）。
【００９９】
禁忌であると判断された場合（Ｓ４３；Ｙｅｓ）、主制御部４は、その旨を表す報知情報を出力させる（Ｓ４４）。オペレータは、報知情報を確認し、必要に応じて他の検査を指定する（Ｓ４２）。以下、ステップ４３において「Ｎｏ」と判断されるまで処理を反復する。
【０１００】
一方、検査の組合せが禁忌でないと判断された場合（Ｓ４３；Ｎｏ）、主制御部４は、この検査の予約台帳を予約台帳画面１０００上に表示させる（Ｓ４５）。オペレータは、この予約台帳を参照し、所望の予約空き日時を指定して選択ボタン１９００をクリックする（Ｓ４６）。主制御部４は、指定された予約日時を含む予約情報画面２０００を表示させる（Ｓ４７）。
【０１０１】
予約作業を終了するときには、仮予約情報画面２０００の終了ボタン２２００をクリックする。予約作業を続ける場合（Ｓ４８；Ｎｏ）、オペレータは、他の検査を指定する（Ｓ４２）。
【０１０２】
一方、予約作業を終了する場合、オペレータは、仮予約情報画面２０００の終了ボタン２２００をクリックする（Ｓ４８；Ｙｅｓ）。主制御部４は、指定された各検査の検査予約情報を含む検査予約情報画面３０００を表示部５１に表示させる（Ｓ４９）。
【０１０３】
オペレータは、検査予約情報画面３０００に呈示された情報を確認し、登録ボタン３４００をクリックする（Ｓ５０）。予約処理部６は、検査予約情報表示部３３００に表示された内容に基づいて、各検査の検査予約情報を予約状況情報２１に登録する（Ｓ５１）。なお、検査予約情報は、通信部７により、対応する検査端末９Ａ、９Ｂ、９Ｃに送信される。以上で、この使用形態に係る処理は終了となる。
【０１０４】
［システム構成の具体例］
検査予約システム１の具体例について図１２を参照しつつ説明する。図１２に示す検査予約システム１００は、ＲＩＳクライアント２００、ＲＩＳサーバ３００及びＲＩＳデータベース４００を含んで構成される。ＲＩＳクライアント２００とＲＩＳサーバ３００は、院内ＬＡＮ等の通信回線Ｌ２を介して接続されている。ここで、ＲＩＳとは、放射線科情報管理システム（Ｒａｄｉｏｌｏｇｙ  Ｉｎｆｏｒｍａｔｉｏｎ  Ｓｙｓｔｅｍ）である。
【０１０５】
ＲＩＳクライアント２００は、放射線科Ｒ２に設置されたコンピュータ端末である。ＲＩＳクライアント２００は、放射線科で実施する各種検査の予約を入力するために用いられる。ＲＩＳクライアント２００には、図１に示す制御部３、ユーザインターフェイス５及び通信部７が設けられている。ＲＩＳクライアント２００の設置台数は、１台以上の任意の台数とすることができる。
【０１０６】
放射線科Ｒ２には、検査において使用される複数の検査端末９００Ａ、９００Ｂ、９００Ｃが設置されている。各検査端末９００Ａ〜９００Ｃは、院内ＬＡＮ等の通信回線Ｌ３を介してＲＩＳクライアント２００に接続されている。検査端末９００Ａ〜９００Ｃを用いて行う検査としては、たとえばＣＴ検査やＭＲ検査等の医用画像撮影などがある。
【０１０７】
放射線科Ｒ２には電話機Ｐ２が設置されている。電話機Ｐ２は、電話回線等の通信回線Ｌ１を介して、診療科Ｒ１に設置された電話機Ｐ１と接続されている。なお、診療科Ｒ１は、たとえば内科、外科、整形外科、消化器科など、医療機関内に複数設けられているのが一般的である。
【０１０８】
ＲＩＳデータベース４００には、放射線科にて使用される各種の情報が格納されている。特に、ＲＩＳデータベース４００には、図１に示す予約情報情報２１が格納されている。なお、禁忌情報２２や検査履歴情報２３については、ＲＩＳデータベース４００に格納してもよいし、ＲＩＳクライアント２００の記憶装置（ハードディスクドライブ等）に格納してもよい。
【０１０９】
ＲＩＳサーバ３００は、ＲＩＳデータベース４００に格納された情報の管理を行う。また、ＲＩＳサーバ３００は、ＲＩＳクライアント２００からの要求を受けて、その要求に応じた情報をＲＩＳデータベース４００から検索してＲＩＳクライアント２００に送信する。
【０１１０】
このような検査予約システム１００を用いた検査の予約作業について説明する。診療科Ｒ１の医師等の依頼者は、電話機Ｐ１を用いて放射線科Ｒ２の予約担当者を呼び出し、検査の予約を依頼する。予約担当者は、ＲＩＳクライアント２００に予約台帳画面１０００等を表示させ、電話越しに伝えられる検査の検査種別や予約日時を入力する。この入力作業は、たとえば前述の使用形態で説明した要領で実施される。
【０１１１】
このとき、ＲＩＳクライアント２００は、検査種別等の入力内容に応じて、予約状況情報２１等の情報の送信をＲＩＳサーバ３００に要求する。ＲＩＳサーバ３００は、この要求に応じた情報をＲＩＳデータベース４００から検索し、ＲＩＳクライアント２００に送信する。ＲＩＳクライアント２００は、ＲＩＳサーバ３００から提供された情報を用いて、前述の使用形態で説明した処理などを実行する。
【０１１２】
なお、ここでは、電話機を用いて検査の予約を依頼する場合について説明したが、これに限定されるものではない。たとえば、検査の予約依頼を入力するコンピュータを診療科に設置する。このコンピュータは、院内ＬＡＮ等の通信回線を介して、その入力内容（患者情報、検査種別、予約日時等）をＲＩＳクライアントに送信する。ＲＩＳクライアントのオペレータは、受信した入力内容を予約台帳画面１０００等に入力する。この入力作業は、たとえば前述の使用形態で説明した要領で実施される。なお、禁忌な検査の組合せが存在した場合などには、電話機や電子メール等の通信手段を用いて診療科に連絡を取ることにより、又は依頼者と直に対話することにより対処することが可能である。
【０１１３】
［作用・効果］
この実施形態に係る検査予約システム１（及び検査予約システム１００；以下同様）の作用及び効果について説明する。
【０１１４】
検査予約システム１は、記憶部２、制御部３及びユーザインターフェイス５を備えている。ユーザインターフェイス５は、検査種別や予約日時を含む検査予約情報を入力するために用いられる。記憶部２には、この検査予約情報に基づく各検査種別毎の予約状況情報２１が記憶される。制御部３は、患者に対する第１の検査について入力された検査予約情報と予約状況情報２１とに基づいて、この患者に対する第２の検査の予約日時を決定する。第２の検査の予約日時は、未だ予約日時が入力されていない予約空き日時から、この患者に対する第１の検査との時間間隔が最も短くなるように決定される。ここで、予約空き日時から選択的に当該患者の予約日時を決定することにより、同一日時に予約が重複する事態を回避することができ、予約スケジュールを適正に作成することができる。
【０１１５】
このような検査予約システム１によれば、一人の患者に対して複数の検査を実施する場合において、一つの検査の予約日時が入力されると、この予約日時や予約状況情報２１に基づいて他の検査の予約日時を自動的に決定するように作用するので、一つひとつの検査について予約状況等を確認しながら予約の設定作業を行う必要が無い。したがって、検査の予約を行う医師等への負担を軽減することが可能である。
【０１１６】
特に、予約台帳画面１０００を用いることにより、様々な検査の予約状況を簡単に切り替えて表示させることができるので、複数の検査を予約する場合における予約作業を容易にかつ迅速に行うことができる。また、予約台帳画面１０００及び仮予約情報画面２０００を参照することにより、先に入力した予約日時と、新たに入力する検査の予約状況の双方を容易にかつ確実に把握できるので、予約日時の入力ミスが減少する等の効果も期待できる。
【０１１７】
また、検査予約システム１によれば、患者に対する第２の検査と第１の検査との時間間隔が最も短くなるように第２の検査の予約日時を決定するように作用するので、検査間隔が長くなることに起因する患者への負担の軽減を図ることが可能である。
【０１１８】
また、記憶部２には、予め設定された検査の禁忌な組合せを表す禁忌情報２２が記憶されている。そして、制御部３は、第１の検査の検査予約情報、予約状況情報２１及び禁忌情報２２に基づいて、当該患者の第２の検査の予約日時を決定するように作用する。このように検査の禁忌な組合せを考慮しつつ検査の予約日時を決定することにより、検査の安全性の向上を図ることができる。
【０１１９】
禁忌情報２２を参照した処理の第１の例として、制御部３は、第１の検査の検査予約情報及び禁忌情報２２に基づいて、第２の検査として予約日時を決定可能な検査種別を特定し、更に、この特定された検査種別、第１の検査予約情報及び予約状況情報２１に基づいて、第２の検査の予約日時を決定するように機能する（第１の使用形態を参照）。このように、検査予約システム１によれば、第１の検査との組合せが禁忌でない検査の予約日時を自動的に決定することができるので、検査の安全性の向上を図ることが可能である。
【０１２０】
また、禁忌情報２２を参照した処理の第２の例として、制御部３は、第１の検査の検査予約情報、第２の検査の検査種別及び禁忌情報２２に基づいて、第１の検査と第２の検査との組合せが禁忌であるか判断し、禁忌であると判断されたときに報知情報を出力させるように機能する（第２の使用形態を参照）。このように、検査予約システム１によれば、第１の検査と第２の検査との組合せが禁忌である場合にオペレータに報知を行うことができるので、検査の安全性の向上を図ることが可能である。
【０１２１】
また、禁忌情報２２を参照した処理の第３の例として、制御部３は、入力された検査の検査予約情報、禁忌情報２２及び検査履歴情報２３に基づいて、この検査と検査履歴情報２３の内容との組合せが禁忌であるか判断し、禁忌であると判断されたときに報知情報を出力させるように機能する（第３の使用形態を参照）。このように、検査予約システム１によれば、当該患者の検査履歴と当該検査との組合せが禁忌である場合にオペレータに報知を行うことができるので、検査の安全性の向上を図ることが可能である。
【０１２２】
また、検査予約システム１によれば、決定された第２の検査の予約日時を表示部５１に表示させるように作用するので、オペレータは自動的に決定された予約日時を容易に把握することができる。特に、検査予約システム１は、各検査種別毎の予約台帳画面１１００〜１６００を表示するようになっており、制御部３は、たとえば予約台帳画面１１００にＣＴ検査の予約日時が入力され、更に第２の検査の検査種別（たとえば「ＭＲ−１」）が入力されたときに、このＣＴ検査の予約日時に基づくＭＲ検査の予約日時を決定し、この決定された予約日時を「ＭＲ−１」の予約台帳画面１３００に呈示させるように機能する。また、既に設定された検査種別や予約日時は、仮予約情報画面２０００にリスト表示される。このような検査予約システム１によれば、予約した検査種別や予約日時を容易に把握することができるとともに、予約内容の設定ミスを防止できるなどの効果も奏される。
【０１２３】
［プログラムについて］
この発明に係るプログラムの実施形態を説明する。
【０１２４】
このプログラムは、医療分野における検査の予約に関する処理を実行するコンピュータを制御する。このコンピュータは、このプログラムにしたがって、検査種別及び予約日時を含む検査予約情報を受け付け、この検査予約情報に基づく各検査種別毎の予約状況情報を記憶する。
【０１２５】
このとき、このコンピュータに内蔵された記憶装置（たとえばハードディスクドライブ等）に予約状況情報を記憶させてもよいし、このコンピュータによりアクセス可能な外部の装置（たとえばＲＩＳデータベース等）に予約状況情報２１を記憶させてもよい。
【０１２６】
このコンピュータは、たとえば上記の実施形態の記憶部２及び制御部３を含んで構成される。制御部３は、たとえば、このプログラムに実行してこのコンピュータを制御するＣＰＵ等のマイクロプロセッサを含んでいる。
【０１２７】
制御部３は、たとえばユーザインターフェイス５により第１の検査の検査予約情報が入力されると、この第１の検査の検査予約情報と予約状況情報とに基づいて、この患者に対する第２の検査の予約日時を決定する。この第２の検査の予約日時は、上記の実施形態と同様に、未だ予約日時が入力されていない予約空き日時から、この患者に対する第１の検査との時間間隔が最も短くなるように決定される。
【０１２８】
このようにコンピュータを機能させるプログラムによれば、検査予約作業の負担軽減を図ることができるとともに、検査間隔が長くなることに起因する患者への負担の軽減を図ることができる。
【０１２９】
なお、このプログラムは、コンピュータによって読み取り可能な任意の記憶媒体に記憶させることができる。この記憶媒体としては、たとえば、光ディスク、光磁気ディスク（ＣＤ−ＲＯＭ／ＤＶＤ−ＲＡＭ／ＤＶＤ−ＲＯＭ／ＭＯ等）、磁気記憶媒体（ハードディスク／フロッピー（登録商標）ディスク／ＺＩＰ等）などがある。また、ハードディスクドライブやメモリ等の記憶装置に記憶させることも可能である。更に、インターネットやＬＡＮ等のネットワークを通じてこのプログラムをコンピュータに送信することにより、このプログラムをインストールすることも可能である。
【０１３０】
以上において説明した構成は、この発明を好適に実施するための一具体例に過ぎないものである。よって、この発明の要旨の範囲内における任意の変形を適宜に施すことが可能である。
【図面の簡単な説明】
【０１３１】
【図１】この発明に係る検査予約システムの実施形態の概略構成の一例を表すブロック図である。
【図２】この発明に係る検査予約システムの実施形態の使用形態の一例を表すフローチャートである。
【図３】この発明に係る検査予約システムの実施形態の使用形態の一例を表すフローチャートである。
【図４】この発明に係る検査予約システムの実施形態の使用形態の一例を表すフローチャートである。
【図５】この発明に係る検査予約システムの実施形態により表示される画面の一例を表す概略図である。
【図６】この発明に係る検査予約システムの実施形態により表示される画面の一例を表す概略図である。
【図７】この発明に係る検査予約システムの実施形態により表示される画面の一例を表す概略図である。
【図８】この発明に係る検査予約システムの実施形態により表示される画面の一例を表す概略図である。
【図９】この発明に係る検査予約システムの実施形態により表示される画面の一例を表す概略図である。
【図１０】この発明に係る検査予約システムの実施形態により表示される画面の一例を表す概略図である。
【図１１】この発明に係る検査予約システムの実施形態により表示される画面の一例を表す概略図である。
【図１２】この発明に係る検査予約システムの実施形態の具体例の概略構成を表すブロック図である。
【符号の説明】
【０１３２】
１、１００  検査予約システム
２  記憶部
２１  予約状況情報
２２  禁忌情報
２３  検査履歴情報
３  制御部
４  主制御部
５  ユーザインターフェイス
５１  表示部
５２  操作部
６  予約処理部
６１  禁忌判断部
６２  予約空き日時特定部
６３  予約日時選択部
７  通信部
９Ａ、９Ｂ、９Ｃ  検査端末
２００  ＲＩＳクライアント
３００  ＲＩＳサーバ
４００  ＲＩＳデータベース
１０００  予約台帳画面
２０００  仮予約情報画面
３０００  検査予約情報画面
【図１】
2008269124.tif 000003
【図２】
2008269124.tif 000004
【図３】
2008269124.tif 000005
【図４】
2008269124.tif 000006
【図５】
2008269124.tif 000007
【図６】
2008269124.tif 000008
【図７】
2008269124.tif 000009
【図８】
2008269124.tif 000010
【図９】
2008269124.tif 000011
【図１０】
2008269124.tif 000012
【図１１】
2008269124.tif 000013
【図１２】
2008269124.tif 000014